(57)【特許請求の範囲】
【請求項１】
ネットとネットを支持する枠体とを有する筒状のストレーナと、ストレーナを長手方向に支持すると共に通水配管に形成されたストレーナ挿入口を閉鎖する蓋とを備え、通水配管に取り付けられるストレーナ組立体であって、ストレーナの枠体には、筒状のストレーナの長手方向一端に近接して配設された第１係止部と、筒状のストレーナの長手方向他端に近接して配設された第２係止部とが形成され、第１係止部と前記一端との間の距離は第２係止部と前記他端との間の距離よりも小であり、蓋には前記第１係止部および第２係止部の何れにも係止可能な係止部が形成されていることを特徴とするストレーナ組立体。
【請求項２】
蓋のストレーナ挿入口に挿入される部位の基部が着色されていることを特徴とする請求項１に記載のストレーナ組立体。
【請求項３】
蓋のストレーナ挿入口に挿入される部位の基部に着色された環状体が装着されていることを特徴とする請求項１に記載のストレーナ組立体。
【請求項４】
ストレーナの前記一端又は他端の何れか一方に、目印が形成されていることを特徴とする請求項１乃至３の何れか１項に記載のストレーナ組立体。
【発明の詳細な説明】
【技術分野】
【０００１】
本発明は、ストレーナ組立体に関するものである。
【背景技術】
【０００２】
図１に示すストレーナ組立体１が、水回り機器の通水配管に従来から取り付けられている。ストレーナ組立体１は、ネット２とネット２を支持する枠体３とを有する筒状のストレーナ４と、ストレーナ４を長手方向に支持すると共に通水配管１００に形成されたストレーナ挿入口１０１を閉鎖する蓋５とを備えている。
水回り機器の設置工事後に、水回り機器に通水して、通水配管内の塵芥を水回り機器から排出する。前記通水の後、水回り機器への通水を一旦停止し、ストレーナ組立体を通水配管から取り外してストレーナを洗浄し、再度通水配管に取り付ける。
【発明の概要】
【発明が解決しようとする課題】
【０００３】
設置工事者の不注意や、手違い等により、塵芥排出通水後のストレーナの洗浄が行われない場合がある。ストレーナの洗浄が行われないと、塵芥排出のための通水時にストレーナに溜まった塵芥が残存したまま水回り機器が使用されることになり、ストレーナの目詰まりによる通水不良を起こす可能性がある。
従来のストレーナ組立体は、塵芥排出通水後のストレーナの洗浄が行われたか否かを、外部環境に表示する手段を備えなかったので、塵芥排出通水後のストレーナの洗浄が行われたか否か確認することができなかった。
本発明は上記問題に鑑みてなされたものであり、ネットとネットを支持する枠体とを有する筒状のストレーナと、ストレーナを長手方向に支持すると共に通水配管に形成されたストレーナ挿入口を閉鎖する蓋とを備え、通水配管に取り付けられるストレーナ組立体であって、塵芥排出通水後のストレーナの洗浄が行われたことを外部環境に表示する表示手段を備えたストレーナ組立体を提供することを目的とする。
【課題を解決するための手段】
【０００４】
上記課題を解決するために、本発明においては、ネットとネットを支持する枠体とを有する筒状のストレーナと、ストレーナを長手方向に支持すると共に通水配管に形成されたストレーナ挿入口を閉鎖する蓋とを備え、通水配管に取り付けられるストレーナ組立体であって、ストレーナの枠体には、筒状のストレーナの長手方向一端に近接して配設された第１係止部と、筒状のストレーナの長手方向他端に近接して配設された第２係止部とが形成され、第１係止部と前記一端との間の距離は第２係止部と前記他端との間の距離よりも小であり、蓋には前記第１係止部および第２係止部の何れにも係止可能な係止部が形成されていることを特徴とするストレーナ組立体を提供する。
本発明に係るストレーナ組立体は、水回り機器の設置工事の際に、枠体の第１係止部が蓋の係止部に係止した状態で通水配管に取り付けられる。第１係止部とストレーナの長手方向一端との距離は小なので、水回り機器の設置時にはストレーナの蓋からの突出量は大きい。通水配管には挿入されたストレーナの先端が当接する受け部が形成されており、ストレーナ組立体を通水配管に取り付ける際には、ストレーナの先端が前記受け部に当接するまでストレーナを通水配管に挿入する。前述の如く、水回り機器の設置工事時には、ストレーナの蓋からの突出量は大きいので、ストレーナの通水配管への挿入量は小さく、蓋の通水配管外面からの突出量は大きい。
水回り機器設置工事後の塵芥排出通水後にストレーナ組立体を通水配管から取り外して、ストレーナを洗浄する。洗浄後にストレーナ組立体を通水配管に取り付ける際に、ストレーナを長手方向に逆転させ、枠体の第２係止部を蓋の係止部に係止させる。第２係止部とストレーナの長手方向他端との距離は大なので、ストレーナの蓋からの突出量が小になる。この結果、ストレーナの先端が通水配管に形成されたストレーナ受け部に当接するまでストレーナを通水配管に挿入して、ストレーナ組立体を通水配管に取り付けると、蓋の通水配管外面からの突出量が小になる。
従って、水回り機器の使用時に、ストレーナ組立体の蓋の通水配管外面からの突出量が小であれば、少なくとも塵芥排出通水後にストレーナ組立体を通水配管から取り外したことが分かり、ストレーナの洗浄以外にストレーナを取り外す理由が無いことから、ストレーナの洗浄が行われたことが分かる。
【０００５】
本発明の好ましい態様においては、蓋のストレーナ挿入口に挿入される部位の基部が着色されている。
本発明の好ましい態様においては、蓋のストレーナ挿入口に挿入される部位の基部に着色された環状体が装着されている。
水回り機器の設置工事時には、ストレーナの通水配管への挿入量が小なので、蓋のストレーナ挿入口に挿入される部位の基部は前記挿入口に挿入されず外部環境に暴露される。ストレーナ洗浄後に通水配管に再度取り付けられる際には、ストレーナの通水配管への挿入量が増大するので、蓋のストレーナ挿入口に挿入される部位の基部は前記挿入口に挿入され、前記基部が外部環境から遮断される。従って、前記基部に着色し、或いは前記基部に着色した環状体を装着しておけば、前記着色部或いは前記着色した環状体が視認されないことにより、少なくとも塵芥排出通水後にストレーナ組立体を通水配管から取り外したことが分かり、ストレーナの洗浄以外にストレーナを取り外す理由が無いことから、ストレーナの洗浄が行われたことが分かる。
【０００６】
本発明の好ましい態様においては、ストレーナの長手方向一端又は長手方向他端の何れか一方に、目印が形成されている。
ストレーナの長手方向一端又は長手方向他端の何れか一方に、目印が形成されていれば、ストレーナ洗浄後にストレーナを蓋に係止する際に、目印を頼りにしてストレーナを正規方向へ差し向けて蓋に係止させることができる。
【図面の簡単な説明】
【０００７】
【図１】従来のストレーナ組立体の断面図である。（ａ）は通水配管から取り外した状態を示し、（ｂ）は通水配管に取り付けた状態を示す。
【図２】本発明の実施例に係るストレーナ組立体の断面図である。（ａ）は水回り機器設置工事時に通水配管に取り付けた状態を示し、（ｂ）はストレーナ洗浄後に通水配管に取り付けた状態を示す。
【図３】本発明の実施例に係るストレーナ組立体の断面図である。（ａ）は２つの部分に分解した状態を示し、（ｂ）は２つの部分を一体に組み付けた状態を示す。
【発明を実施するための形態】
【０００８】
本発明の実施例に係るストレーナ組立体を説明する。
図２、３に示すように、ストレーナ組立体１１は、円筒形のネット１２とネット１２を支持する枠体１３とを有する円筒状の第１部分ストレーナ１４と、有底円筒状のネット１５とネット１５を支持する枠体１６とを有する円筒状の第２部分ストレーナ１７とを備えている。
枠体１３は円筒状に形成された格子構造部材から成る。ネット１２と枠体１３とはインサート成形により一体成形されている。
枠体１６は円筒状に形成された格子構造部材から成る。ネット１５と枠体１６とは、ネット１５の開口部フランジを枠体１６の一端部に埋め込んだ状態でインサート形成により一体成形されている。
ネット１５の網目寸法は、ネット１２の網目寸法よりも小に設定されている。
第１部分ストレーナ１４と第２部分ストレーナ１７とは、第２部分ストレーナ１７のネット１５の底部を第１部分ストレーナ１４内に挿入させた状態で、長手方向に整列して一体に組付けられ、円筒状のストレーナ１８を形成している。
【０００９】
枠体１３には、一体に組付けられたストレーナ１８の長手方向一端、より具体的には第１部分ストレーナ１４側の長手方向一端に近接して、径方向外方へ差し向けられた第１突起１９が形成されている。複数の第１突起１９が周方向に分散して成形されている
枠体１３には、ストレーナ１８の長手方向他端、より具体的には第２部分ストレーナ１７側の長手方向他端に近接して、径方向外方へ差し向けられた第２突起２０が形成されている。複数の第２突起２０が周方向に分散して成形されている。
第１突起１９とストレーナ１８の長手方向一端との間の距離Ｌ１は、第２突起２０とストレーナ１８の長手方向他端との間の距離Ｌ２よりも小に設定されている。
【００１０】
図２に示すように、ストレーナ組立体１１は、蓋２１を備えている。蓋２１は円板部２２と、円板部２２から直立する円筒部２３とを有している。円筒部２３の先端部外周に雄螺子２４が形成されている。円筒部２３の先端部内周に環状段部２５が形成されている。円筒部２３の基部近傍にＯリング２６が装着され、円筒部２３の基部に、赤色等の目立つ色に着色されたＯリング２７が装着されている。
【００１１】
図２（ａ）に示すように、ストレーナ組立体１１は、図示しない水回り機器の設置工事の際に、ストレーナ１８の長手方向一端が蓋２１の円筒部２３に嵌入し、枠体１３の第１突起１９が蓋２１の環状段部２５に係止した状態で、円筒部２３を通水配管２００のストレーナ挿入穴２０１に挿入し、雄螺子２４を通水配管内壁に形成された雌螺子２０２に螺合させて、通水配管２００に取り付けられる。円筒部２３とストレーナ挿入穴２０１との間の環状隙間は、Ｏリング２６によりシールされる。ストレーナ挿入穴２０１は蓋の円板部２２によって、通水配管２００の外側から覆われる。
第１係止部１９とストレーナ１８の長手方向一端との距離Ｌ１は小なので、ストレーナ１８の円筒部２３への嵌入量は小であり、挿入量水回り機器の設置工事時にはストレーナ１８の蓋２１からの突出量は大きい。通水配管２００には挿入されたストレーナ１８の先端が当接する円環状の受け部２０３が形成されており、ストレーナ組立体１１を通水配管２００に取り付ける際には、ストレーナ１８の先端が受け部２０３に当接するまでストレーナ１８を通水配管２００に挿入する。前述の如く、水回り機器の設置工事時には、ストレーナ１８の蓋２１からの突出量は大きいので、ストレーナ１８の通水配管２００への挿入量は小さく、蓋の円筒部２３の基部はストレーナ挿入穴２０１に進入しておらず、前記基部に装着された着色Ｏリング２７は、外部環境に暴露されている。従って、着色Ｏリング２７を外側から視認可能である。
【００１２】
水回り機器設置工事後に、水回り機器に通水して、通水配管内の塵芥を水回り機器から排出する。この際、通水は図２（ａ）に白抜き矢印で示す経路に沿って流れる。通水は、円環状の受け部２０３で囲まれた流入口２０４を通り、ストレーナ１８の長手方向他端からストレーナ１８に流入する。通水はネット１５の内部空間へ流入し、ネット１５の底壁を通過してネット１２が形成する円筒空間へ流入し、ネット１２を径方向外方へ通過して、ストレーナ１８から流出する。ネット１５の網目寸法はネット１２の網目寸法より小なので、塵芥はネット１５により捕捉され、ネット１２には付着しない。
【００１３】
塵芥排出通水後にストレーナ組立体１１を通水配管２００から取り外して、ストレーナ１８を蓋２１から取り外して洗浄する。洗浄後にストレーナ組立体１１を通水配管に取り付ける際に、図２（ｂ）に示すように、ストレーナ１８を長手方向に逆転させ、枠体１３の第２突起２０を蓋の環状段部２５に係止させる。第２突起２０とストレーナ１８の長手方向他端との距離Ｌ２は大なので、ストレーナ１８の円筒部２３への嵌入量が大になり、ストレーナ１８の蓋２１からの突出量が小になる。この結果、ストレーナ１８の先端が通水配管２００に形成された受け部２０３に当接するまでストレーナ１８を通水配管２００に挿入して、ストレーナ組立体１１を通水配管２００に取り付けると、蓋の円筒部２３の基部がストレーナ挿入穴２０１に進入し、ひいては前記基部に装着された赤色のＯリング２７がストレーナ挿入穴２０１に進入して、外部環境から遮断される。この結果、着色Ｏリング２７を外側から視認できなくなる。
従って、水回り機器の使用時に、着色Ｏリング２７が視認できなければ、少なくとも塵芥排出通水後にストレーナ組立体１１を通水配管２００から取り外したことが分かり、ストレーナ１８の洗浄以外にストレーナ組立体１１を通水配管２００から取り外す理由が無いことから、ストレーナ１８の洗浄が行われたことが分かる。
【００１４】
水回り機器の使用時に、通水は図２（ｂ）に白抜き矢印で示す経路に沿って流れる。通水は、円環状の受け部２０３で囲まれた流入口２０４を通り、ストレーナ１８の長手方向一端からストレーナ１８に流入する。通水はネット１２が形成する円筒空間へ流入し、ネット１５を通過することなくネット１２を径方向外方へ通過して、ストレーナ１８から流出する。前述の如く、塵芥排出通水時にネット１２には塵芥は付着しないので、仮にネット１５の洗浄が不十分であったとしても、ストレーナ１８の機能は損なわれない。
【００１５】
Ｏリング２７を配設するのに代えて、円筒部２３の基部外面を赤色等の目立つ色に着色しても良い。水回り機器の使用時に、円筒部２３の着色された基部が視認できなければ、少なくとも塵芥排出通水後にストレーナ組立体１１を通水配管２００から取り外したことが分かり、ストレーナ１８の洗浄以外にストレーナ組立体１１を通水配管２００から取り外す理由が無いことから、ストレーナ１８の洗浄が行われたことが分かる。
着色したＯリング２７に代えて、樹脂カラー等の着色した環状体を円筒部２３の基部に装着しても良い。
着色したＯリング２７を配設せず、また円筒部２３の基部を着色しなくても、水回り機器の使用時に、蓋の円板部２２の通水配管２００外面からの突出量に着目して、ストレーナ１８の洗浄の有無を判断することができる。前記突出量が小であれば、少なくとも塵芥排出通水後にストレーナ組立体１１を通水配管２００から取り外したことが分かり、ストレーナ１８の洗浄以外にストレーナ組立体１１を通水配管２００から取り外す理由が無いことから、ストレーナ１８の洗浄が行われたことが分かる。
ストレーナ１８の長手方向一端又は長手方向他端の何れか一方に、目印を形成しても良い。ストレーナ１８の長手方向一端又は長手方向他端の何れか一方に、目印が形成されていれば、洗浄後にストレーナ１８を蓋２１に係止する際に、目印を頼りにしてストレーナ１８を正規方向へ差し向けて蓋２１に係止させることができる。
ストレーナ１８から第２部分ストレーナ１７を除去し、第１部分ストレーナ１４を長手方向に延長して、ストレーナ組立体１１を構成するストレーナとしても良い。
【産業上の利用可能性】
【００１６】
本発明に係るストレーナ組立体は、水回り機器の通水配管に広く利用可能である。
【符号の説明】
【００１７】
１、１１  ストレーナ組立体
２、１２、１５  ネット
３、１３、１６  枠体
４、１８  ストレーナ
５、２１  蓋
１４  第１部分ストレーナ
１７  第２部分ストレーナ
１９  第１突起
２０  第２突起
２２  円板部
２３  円筒部
２４  雄螺子
２５  環状段部
２６、２７  Ｏリング
１００、２００  通水配管
１０１、２０１  ストレーナ挿入穴
２０２  雌螺子
２０３  受け部
２０４  流入口
【図１】
0005398071.tif 000002
【図２】
0005398071.tif 000003
【図３】
0005398071.tif 000004